(57)【要約】【課題】光コネクタの抜去時にガイドピンがガイド穴を損傷させないようにする。【解決手段】光コネクタ１は、接続端面１０ａに、ガイドピン１６が配置されたフェルール１０と、フェルール１０を内側に収容するハウジング２０と、ハウジング２０の外側に配置され、ハウジング２０に対し、フェルール１０の接続方向に移動可能なカップリング３０と、を備え、ハウジング２０には、接続方向に延びると共に、該接続方向と交差する幅方向に弾性変形可能な一対の弾性片４０が設けられ、カップリング３０には、一対の弾性片４０の隙間に配置される舌片５０が設けられ、舌片５０の最も幅が大きい拡幅部５１は、一対の弾性片４０の隙間の最も幅が小さい狭隘部４１よりも大きい。【選択図】図８
2020204689.tif 000002
【特許請求の範囲】
【請求項１】
接続端面に、位置合わせ用のガイド穴及びガイドピンの少なくともいずれか一方が配置されたフェルールと、
前記フェルールを内側に収容するハウジングと、
前記ハウジングの外側に配置され、前記ハウジングに対し、前記フェルールの接続方向に移動可能なカップリングと、を備え、
前記ハウジング及び前記カップリングの一方には、前記接続方向に延びると共に、該接続方向と交差する幅方向に弾性変形可能な一対の弾性片が設けられ、
前記ハウジング及び前記カップリングの他方には、前記一対の弾性片の隙間に配置される舌片が設けられ、
前記舌片の最も幅が大きい拡幅部は、前記一対の弾性片の隙間の最も幅が小さい狭隘部よりも大きい、光コネクタ。
【請求項２】
前記一対の弾性片の周囲のうち、少なくとも前記幅方向の外側には、スリットが形成されている、請求項１に記載の光コネクタ。
【請求項３】
前記舌片は、前記ハウジングに対する前記カップリングの移動によって、前記拡幅部が、前記一対の弾性片よりも前記接続方向の前方の位置する第１の位置と、前記第１の位置よりも前記接続方向の後方であって前記一対の弾性片の隙間に入る第２の位置との間で移動可能であり、
前記一方には、前記舌片が前記第１の位置に位置するとき、前記拡幅部の前記幅方向の両側に配置される一対の固定片が設けられている、請求項１または２に記載の光コネクタ。
【請求項４】
前記一対の弾性片には、前記狭隘部に向かって幅が徐々に小さくなる第１テーパー部が設けられている、請求項１〜３のいずれか一項に記載の光コネクタ。
【請求項５】
前記舌片には、前記拡幅部に向かって幅が徐々に大きくなる第２テーパー部が設けられている、請求項１〜４のいずれか一項に記載の光コネクタ。
【発明の詳細な説明】
【技術分野】
【０００１】
本発明は、光コネクタに関するものである。
【背景技術】
【０００２】
下記特許文献１には、フェルールに設けたガイド穴に位置合わせ用のガイドピンを挿入して、フェルール同士の位置合わせを行う光コネクタが開示されている。
【先行技術文献】
【特許文献】
【０００３】
【特許文献１】特開２００５−１８１８３２号公報
【発明の概要】
【発明が解決しようとする課題】
【０００４】
上記光コネクタは、アダプタ内に嵌入させてコネクタ接続を行う。光コネクタの外周に対して、アダプタの内周は大きめに作られており、クリアランスが存在する。このため、光コネクタの抜去時に光コネクタが傾斜し、一方のフェルールのガイドピンが他方のフェルールのガイド穴を損傷させてしまうことがあった。したがって、コネクタの着脱を繰り返していると、光学特性が悪化してくる可能性があった。
【０００５】
本発明は、上記問題点に鑑みてなされたものであり、光コネクタの抜去時にガイドピンがガイド穴を損傷させないようにすることを目的とする。
【課題を解決するための手段】
【０００６】
本発明の一態様に係る光コネクタは、接続端面に、位置合わせ用のガイド穴及びガイドピンの少なくともいずれか一方が配置されたフェルールと、前記フェルールを内側に収容するハウジングと、前記ハウジングの外側に配置され、前記ハウジングに対し、前記フェルールの接続方向に移動可能なカップリングと、を備え、前記ハウジング及び前記カップリングの一方には、前記接続方向に延びると共に、該接続方向と交差する幅方向に弾性変形可能な一対の弾性片が設けられ、前記ハウジング及び前記カップリングの他方には、前記一対の弾性片の隙間に配置される舌片が設けられ、前記舌片の最も幅が大きい拡幅部は、前記一対の弾性片の隙間の最も幅が小さい狭隘部よりも大きい。
【０００７】
上記光コネクタにおいて、前記一対の弾性片の周囲のうち、少なくとも前記幅方向の外側には、スリットが形成されていてもよい。
【０００８】
上記光コネクタにおいて、前記舌片は、前記ハウジングに対する前記カップリングの移動によって、前記拡幅部が、前記一対の弾性片よりも前記接続方向の前方の位置する第１の位置と、前記第１の位置よりも前記接続方向の後方であって前記一対の弾性片の隙間に入る第２の位置との間で移動可能であり、前記一方には、前記舌片が前記第１の位置に位置するとき、前記拡幅部の前記幅方向の両側に配置される一対の固定片が設けられていてもよい。
【０００９】
上記光コネクタにおいて、前記一対の弾性片には、前記狭隘部に向かって幅が徐々に小さくなる第１テーパー部が設けられていてもよい。
【００１０】
上記光コネクタにおいて、前記舌片には、前記拡幅部に向かって幅が徐々に大きくなる第２テーパー部が設けられていてもよい。
【発明の効果】
【００１１】
上記本発明の一態様によれば、光コネクタの抜去時にガイドピンがガイド穴を損傷させないようにすることができる。
【図面の簡単な説明】
【００１２】
【図１】一実施形態に係る光コネクタの平面図である。
【図２】一実施形態に係る光コネクタの平断面図である。
【図３】一実施形態に係る光コネクタの斜視図である。
【図４】一実施形態に係る光コネクタが嵌入するアダプタの斜視図である。
【図５】一実施形態に係るカップリングを取り外した状態の光コネクタの平面図である。
【図６】一実施形態に係るカップリングを取り外した状態の光コネクタの斜視図である。
【図７】一実施形態に係るカップリングを底面側からみた斜視図である。
【図８】一実施形態に係る光コネクタをアダプタから抜き去るときの様子を示す説明図である。
【図９】一実施形態の変形例に係る光コネクタの平面図である。
【図１０】一実施形態の変形例に係るアダプタの平断面図である。
【発明を実施するための形態】
【００１３】
以下、本発明の一実施形態について図面を参照して説明する。
【００１４】
図１は、一実施形態に係る光コネクタ１の平面図である。図２は、一実施形態に係る光コネクタ１の平断面図である。
光コネクタ１は、接続端面１０ａを有するフェルール１０と、フェルール１０を内側に収容するハウジング２０と、ハウジング２０の外側に配置され、ハウジング２０に対し、フェルール１０の接続方向に移動可能なカップリング３０と、を備える。
【００１５】
なお、以下の説明において、ＸＹＺ直交座標系を設定し、このＸＹＺ直交座標系を参照しつつ各部材の位置関係について説明することがある。Ｘ軸方向は光コネクタ１（フェルール１０）の接続方向であり、Ｙ軸方向は接続方向と直交する光コネクタ１の幅方向であり、Ｚ軸方向は接続方向及び幅方向と直交する光コネクタ１の厚み方向である。
【００１６】
本実施形態の光コネクタ１は、ＭＰＯ光コネクタ（例えば、ＪＩＳ  Ｃ  ５９８２に規定されるＦ１３形多心光ファイバコネクタ）である。光コネクタ１は、アダプタ１００内に嵌入し、図示しない相手側のフェルールの接続端面に対して、フェルール１０の接続端面１０ａをＸ軸方向で突き合わせる。なお、接続端面１０ａは、Ｘ軸方向に直角な直角面（Ｙ−Ｚ平面）であってもよいし、当該直角面に対して斜めになった傾斜面であっても構わない。
【００１７】
フェルール１０の接続端面１０ａには、位置合わせ用の一対のガイドピン１６が配置されている。一方で、図示しない相手側のフェルールの接続端面には、ガイドピン１６が挿入される一対のガイド穴が形成されている。なお、フェルール１０の接続端面１０ａに、ガイドピン１６の代わりにガイド穴が形成されてもよい。また、フェルール１０の接続端面１０ａに、ガイドピン１６とガイド穴とがそれぞれ設けられても構わない。
【００１８】
図２に示すように、フェルール１０の接続端面１０ａには、光ファイバ２の端部が配置される複数の挿入孔１１が形成されている。本実施形態の光ファイバ２は、複数のファイバが並列に並び、且つ、隣り合うファイバの被覆の少なくとも一部同士が接続されることで、テープ状（帯状）とされている。この多心光ファイバは、被覆を剥くことで、ファイバを１本ずつ分離させることができる。複数の挿入孔１１には、分離したファイバが１本ずつ挿入されている。
【００１９】
複数の挿入孔１１の幅方向（Ｙ軸方向）両側には、ピンホール１２が形成されている。ピンホール１２は、フェルール１０の接続端面１０ａからその背面１０ｂまで貫通している。ピンホール１２には、上述したガイドピン１６が挿入されている。なお、ピンホール１２にガイドピン１６が挿入されていない場合、当該ピンホール１２は、図示しない相手側のガイドピンが挿入されるガイド穴となる。
【００２０】
フェルール１０の背面１０ｂには、上述した複数の挿入孔１１に連通し、且つ、光ファイバ２が嵌合する嵌合溝１４が形成されている。このフェルール１０の背面１０ｂは、ピンクランプ１７を介してバネ１８の付勢を受けている。ピンクランプ１７には、光ファイバ２を通す貫通孔１７ａが形成されている。また、ピンクランプ１７は、上述したガイドピン１６を保持している。
【００２１】
フェルール１０、ピンクランプ１７、及びバネ１８は、Ｘ軸方向に延びる矩形筒状のハウジング２０の内側に収容されている。ハウジング２０の内側には、フェルール１０の接続方向前方（＋Ｘ側）への飛び出しを規制する規制部２１が形成されている。フェルール１０には、規制部２１に係止する突起部１５が形成されている。
【００２２】
ハウジング２０の外側には、アダプタ１００と嵌合する嵌合溝２２が形成されている。嵌合溝２２は、ハウジング２０の幅方向（Ｙ軸方向）の外面に形成されている。アダプタ１００は、カップリング３０が挿入可能なカバー１０１と、カバー１０１の内側に配置された嵌合片１０２と、を備えている。ハウジング２０の嵌合溝２２には、アダプタ１００の嵌合片１０２が嵌合する。
【００２３】
嵌合溝２２よりも接続方向後方（−Ｘ側）におけるハウジング２０の外面には、貫通孔２３が形成されている。貫通孔２３には、バネ受け２４が嵌合している。上述したバネ１８は、ハウジング２０の内側において、ピンクランプ１７とバネ受け２４との間に配置され、予め設定された設定荷重でフェルール１０を付勢する。光コネクタ１においては、設定通りの荷重で接続することを前提として、その光学特性が保証されている。
【００２４】
バネ受け２４には、光ファイバ２を通す貫通孔２４ａが形成されている。このバネ受け２４には、ハウジング２０から後方に延びる光ファイバ２を弾性的に支持するコネクタブーツ２５が接続されている。コネクタブーツ２５には、光ファイバ２を通す貫通孔２５ａが形成されている。
【００２５】
カップリング３０は、ハウジング２０に対し、フェルール１０の接続方向（Ｘ軸方向）に移動可能に外装されている。具体的に、カップリング３０は、ハウジング２０の嵌合溝２２に嵌合した嵌合片１０２の離脱を規制するロック位置（嵌合片１０２と幅方向で対向する位置）と、当該ロック位置から接続方向後方に後退したロック解除位置（嵌合片１０２と幅方向で対向しない位置まで後退した位置）との間で移動可能である。
【００２６】
カップリング３０は、カップリング３０の内側に配置されたバネ３１によって、ロック解除位置からロック位置に向かって接続方向前方（＋Ｘ側）に付勢されている。なお、ハウジング２０の外面には、後述する図６に示すように、カップリング３０の接続方向前方（＋Ｘ側）への抜け出しを規制する規制部２７が形成されている。カップリング３０には、後述する図７に示すように、規制部２７に係止する突起部３２が形成されている。
【００２７】
上記構成の光コネクタ１をアダプタ１００から抜き去るためには、バネ３１の付勢に抗してカップリング３０を接続方向後方（−Ｘ側）に移動させる必要がある。つまり、嵌合片１０２を嵌合溝２２から離脱させるためには、カップリング３０を上述したロック位置からロック解除位置に移動させる必要がある。
【００２８】
図３は、一実施形態に係る光コネクタ１の斜視図である。図４は、一実施形態に係る光コネクタ１が嵌入するアダプタ１００の斜視図である。
図４に示すように、アダプタ１００には、接続方向（Ｘ軸方向）に延びる一定幅のキー溝１０３が形成されている。対して、光コネクタ１は、キー溝１０３に挿入されるキーを構成するものとして、図３に示す、一対の弾性片４０、舌片５０、及び一対の固定片６０を備えている。
【００２９】
図５は、一実施形態に係るカップリング３０を取り外した状態の光コネクタ１の平面図である。図６は、一実施形態に係るカップリング３０を取り外した状態の光コネクタ１の斜視図である。図７は、一実施形態に係るカップリング３０を底面側からみた斜視図である。
図５及び図６に示すように、本実施形態では、一対の弾性片４０及び一対の固定片６０が、ハウジング２０に設けられている。また、図７に示すように、本実施形態では、舌片５０が、カップリング３０に設けられている。
【００３０】
一対の弾性片４０は、図５及び図６に示すように、ハウジング２０の厚み方向（Ｚ軸方向）の一方の外面に立設している。一対の弾性片４０は、図５に示すように、幅方向（Ｙ軸方向）に間隔をあけて、接続方向（Ｘ軸方向）に延びている。一対の弾性片４０は、ハウジング２０と一体で成形されている。一対の弾性片４０のそれぞれの周囲には、図５に示すように、Ｕ字状のスリット４３が形成されている。
【００３１】
スリット４３は、一対の弾性片４０のそれぞれの後端以外を、ハウジング２０に対して隔離させる。これにより、一対の弾性片４０は、幅方向（Ｙ軸方向）に弾性変形可能とされている。一対の弾性片４０の間には、互いの隙間が最も小さくなる狭隘部４１が形成されている。狭隘部４１の幅方向の寸法は、Ｗ１である。一対の弾性片４０には、狭隘部４１に向かって幅が徐々に小さくなる第１テーパー部４２が設けられている。第１テーパー部４２は、狭隘部４１よりも接続方向前方（＋Ｘ側）に配置されている。
【００３２】
舌片５０は、上述した図１に示すように、一対の弾性片４０の隙間に配置されている。舌片５０には、最も幅が大きくなる拡幅部５１が形成されている。拡幅部５１の幅方向の寸法は、Ｗ２であり、狭隘部４１よりも大きい。つまり、Ｗ１＜Ｗ２の関係を有している。舌片５０には、拡幅部５１に向かって幅が徐々に大きくなる第２テーパー部５２が設けられている。第２テーパー部５２は、拡幅部５１よりも接続方向後方（−Ｘ側）に配置されている。
【００３３】
舌片５０は、ハウジング２０に対するカップリング３０の移動によって、拡幅部５１が、一対の弾性片４０よりも接続方向の前方の位置する第１の位置（図１に示す位置）と、第１の位置よりも接続方向の後方であって一対の弾性片４０の隙間に入る第２の位置（後述する図８において二点鎖線で示す位置）との間で移動可能である。なお、第１の位置は、上述したカップリング３０のロック位置に対応し、第２の位置は、上述したカップリング３０のロック解除位置に対応している。
【００３４】
ハウジング２０には、舌片５０が上述した第１の位置に位置するとき、拡幅部５１の幅方向の両側に配置される一対の固定片６０が設けられている。一対の固定片６０は、一対の弾性片４０と同様に、幅方向（Ｙ軸方向）に間隔をあけて、接続方向（Ｘ軸方向）に延びている。図５に示すように、一対の固定片６０は、一対の弾性片４０に対しては、上述したスリット４３で隔離しているものの、それ部分以外は、ハウジング２０に対して隔離されておらず、一対の弾性片４０のように弾性変形できないようになっている。
【００３５】
一対の固定片６０の間のハウジング２０の外面には、図５及び図６に示すように、アリ溝４４が形成されている。アリ溝４４は、一対の固定片６０の隙間から一対の弾性片４０の隙間までＸ軸方向（接続方向）に延びている。アリ溝４４には、図３及び図７に示すように、舌片５０の拡幅部５１の底面に形成された係合突起５３がスライド可能に係合している。これにより、拡幅部５１が一対の固定片６０及び一対の弾性片４０に対し、Ｚ軸方向に浮くことが防止される。
【００３６】
図８は、一実施形態に係る光コネクタ１をアダプタ１００から抜き去るときの様子を示す説明図である。なお、図８は、アダプタ１００のキー溝１０３を通る平断面の模式図でもある。
光コネクタ１をアダプタ１００から抜き去るためには、図８に示すように、カップリング３０をハウジング２０に対し接続方向後方（−Ｘ側）に移動させる必要がある。
【００３７】
カップリング３０を接続方向後方に移動させると、カップリング３０に設けられた舌片５０も接続方向後方に移動し、舌片５０の拡幅部５１が、ハウジング２０に設けられた一対の弾性片４０の隙間に進入する。ここで、一対の弾性片４０の狭隘部４１は、舌片５０の拡幅部５１よりも小さいので、一対の弾性片４０は、拡幅部５１に押し広げられるように、幅方向両側に弾性変形する。
【００３８】
これにより、一対の弾性片４０とキー溝１０３とのクリアランスが小さくなり、一対の弾性片４０がキー溝１０３の両側面に接触する。これによって、光コネクタ１を抜き去る際に、アダプタ１００に対する光コネクタ１の姿勢が矯正される。したがって、光コネクタ１のガイドピン１６が、真っ直ぐな状態で図示しない相手側の光コネクタのガイド穴から抜け、相手側の光コネクタのガイド穴周りを損傷させないようにすることができる。
【００３９】
このように、上述した本実施形態によれば、接続端面１０ａに、位置合わせ用のガイドピン１６が配置されたフェルール１０と、フェルール１０を内側に収容するハウジング２０と、ハウジング２０の外側に配置され、ハウジング２０に対し、フェルール１０の接続方向に移動可能なカップリング３０と、を備え、ハウジング２０には、接続方向に延びると共に、該接続方向と交差する幅方向に弾性変形可能な一対の弾性片４０が設けられ、カップリング３０の他方には、一対の弾性片４０の隙間に配置される舌片５０が設けられ、舌片５０の最も幅が大きい拡幅部５１は、一対の弾性片４０の隙間の最も幅が小さい狭隘部４１よりも大きい、という構成を採用することによって、光コネクタ１の抜去時にガイドピン１６が、相手側の光コネクタのガイド穴を損傷させないようにすることができる。したがって、光コネクタ１の着脱を繰り返しても、光学特性が悪化し難くなる。
【００４０】
また、本実施形態では、図５に示すように、一対の弾性片４０の周囲のうち、少なくとも幅方向の外側には、スリット４３が形成されているので、一対の弾性片４０が幅方向の外側に弾性変形し易くなる。
【００４１】
また、本実施形態では、舌片５０は、ハウジング２０に対するカップリング３０の移動によって、拡幅部５１が、一対の弾性片４０よりも接続方向の前方の位置する第１の位置と、第１の位置よりも接続方向の後方であって一対の弾性片４０の隙間に入る第２の位置との間で移動可能であり、ハウジング２０には、舌片５０が第１の位置に位置するとき、図１及び図３に示すように、拡幅部５１の幅方向の両側に配置される一対の固定片６０が設けられている。この構成によれば、一対の弾性片４０のように弾性変形しない一対の固定片６０が光コネクタ１のキーの接続方向前方を構成することとなるため、光コネクタ１をアダプタ１００に嵌入する際に、キー溝１０３に挿入し易くなる。
【００４２】
また、本実施形態では、図１に示すように、一対の弾性片４０には、狭隘部４１に向かって幅が徐々に小さくなる第１テーパー部４２が設けられている。第１テーパー部４２の最大幅は拡幅部５１の寸法Ｗ２よりも大きく、カップリング３０の移動によって、狭隘部４１に拡幅部５１を誘導し易くすることができる。
【００４３】
また、本実施形態では、舌片５０には、拡幅部５１に向かって幅が徐々に大きくなる第２テーパー部５２が設けられている。第２テーパー部５２の最小幅は、狭隘部４１の寸法Ｗ１よりも小さく、カップリング３０の移動によって、狭隘部４１に拡幅部５１を誘導し易くすることができる。
【００４４】
以上、本発明の好ましい実施形態を記載し説明してきたが、これらは本発明の例示的なものであり、限定するものとして考慮されるべきではないことを理解すべきである。追加、省略、置換、およびその他の変更は、本発明の範囲から逸脱することなく行うことができる。従って、本発明は、前述の説明によって限定されていると見なされるべきではなく、特許請求の範囲によって制限されている。
【００４５】
例えば、以下の図９に示すように、カップリング３０に一対の弾性片４０Ａを設け、ハウジング２０に舌片５０Ａが設けてもよい。
【００４６】
図９は、一実施形態の変形例に係る光コネクタ１の平面図である。
図９に示すように、一対の弾性片４０Ａは、カップリング３０から接続方向前方（＋Ｘ側）に延びている。一対の弾性片４０Ａの前端には、互いの隙間が最も小さくなる狭隘部４１Ａが形成されている。一対の弾性片４０Ａには、狭隘部４１Ａに向かって幅が徐々に小さくなる第１テーパー部４２Ａが設けられている。
【００４７】
一方、舌片５０Ａは、ハウジング２０の厚み方向（Ｚ軸方向）の一方の外面に立設し、一対の弾性片４０Ａの隙間に配置されている。舌片５０Ａには、狭隘部４１Ａよりも大きい拡幅部５１Ａが形成されている。また、舌片５０Ａには、その前端から拡幅部５１Ａに向かって幅が徐々に大きくなる第２テーパー部５２Ａが設けられている。
【００４８】
上記構成によれば、カップリング３０を接続方向後方に移動させると、カップリング３０に設けられた一対の弾性片４０Ａも接続方向後方に移動し、一対の弾性片４０Ａの狭隘部４１に、ハウジング２０に設けられた舌片５０Ａの拡幅部５１Ａが進入する。ここで、一対の弾性片４０Ａの狭隘部４１Ａは、舌片５０Ａの拡幅部５１Ａよりも小さいので、一対の弾性片４０Ａは、拡幅部５１Ａに押し広げられるように、幅方向両側に弾性変形する。
【００４９】
これにより、一対の弾性片４０Ａとキー溝１０３とのクリアランスが小さくなり、一対の弾性片４０Ａがキー溝１０３の両側面に接触する。これによって、光コネクタ１を抜き去る際に、アダプタ１００に対する光コネクタ１の姿勢が矯正される。したがって、光コネクタ１のガイドピン１６が、真っ直ぐな状態で図示しない相手側の光コネクタのガイド穴から抜け、相手側の光コネクタのガイド穴周りを損傷させないようにすることができる。
【００５０】
また、例えば、図１０に示すように、アダプタ１００に一対の弾性片１０４を設けてもよい。
【００５１】
図１０は、一実施形態の変形例に係るアダプタ１００の平断面図である。
図１０に示すように、アダプタ１００のキー溝１０３の両側面は、一対の弾性片１０４によって形成されている。一対の弾性片１０４は、光コネクタ１のキー７０を幅方向両側から挟み込む。これにより、アダプタ１００に対する光コネクタ１の姿勢を矯正することができる。なお、一対の弾性片１０４の幅方向の外側に、両者に跨るようにコの字状の板バネを嵌めて、一対の弾性片１０４による矯正力（付勢力）を高めてもよい。
【符号の説明】
【００５２】
１…光コネクタ、１０…フェルール、１０ａ…接続端面、１６…ガイドピン、２０…ハウジング、３０…カップリング、４０…弾性片、４０Ａ…弾性片、４１…狭隘部、４１Ａ…狭隘部、４２…第１テーパー部、４２Ａ…第１テーパー部、４３…スリット、５０…舌片、５０Ａ…舌片、５１…拡幅部、５１Ａ…拡幅部、５２…第２テーパー部、５２Ａ…第２テーパー部、６０…固定片
【図１】
2020204689.tif 000003
【図２】
2020204689.tif 000004
【図３】
2020204689.tif 000005
【図４】
2020204689.tif 000006
【図５】
2020204689.tif 000007
【図６】
2020204689.tif 000008
【図７】
2020204689.tif 000009
【図８】
2020204689.tif 000010
【図９】
2020204689.tif 000011
【図１０】
2020204689.tif 000012